(57)【要約】【課題】ダンパ、特にはノイズおよび／または振動を低減すべく車両に使用されるダンパにおいて、ある特定の部分が力を受けて望ましくない摩耗または疲労をもたらすといった問題または欠点を最小限にできるものを提供する。【解決手段】ダンパ(22)が本体(30)および移動リミッタ(32)を含む。移動リミッタ(32)は本体(30)から延びてもよい。実施形態では、移動リミッタ(32)は、ブラケット(24)の穴(52)または凹部の内面に接触して、前記ブラケット(24)に対する本体(30)の移動を制限するように構成されうる複数のリブ(60)を含んでもよい。複数の連結部材(34)が本体(30)から延びてもよい。複数の連結部材(34)は、本体(30)をブラケット(24)と連結してもよい。複数の連結部材(34)は、実質的にＴ型またはボウタイ（蝶ネクタイ）型の形態を含んでもよい。【選択図】図１
2019032081.tif 000002
【特許請求の範囲】
【請求項１】
ブラケットと、
本体と、
前記本体から延びる移動リミッタであって、前記ブラケットの穴の内面に接触して、前記ブラケットに対する前記本体の移動を制限するように構成される、複数のリブを含む移動リミッタと、
前記本体から延びる複数の連結部材であって、前記本体を前記ブラケットと連結する連結部材と
を備える、ダンパアセンブリ。
【請求項２】
前記複数の連結部材が弾性材料を含む、請求項１に記載のダンパアセンブリ。
【請求項３】
前記移動リミッタが実質的に三角形の外形構成を含む、請求項１に記載のダンパアセンブリ。
【請求項４】
前記複数の連結部材が４つの連結部材を含む、請求項１に記載のダンパアセンブリ。
【請求項５】
前記複数の連結部材の第１の連結部材が前記本体の第１の側から延び、前記複数の連結部材の第２の連結部材が前記本体の第２の側から延び、前記第１の側が前記第２の側に対向する、請求項１に記載のダンパアセンブリ。
【請求項６】
前記移動リミッタが前記本体の第３の側から延び、前記第３の側の面が前記第１の側の面および前記第２の側の面に対して実質的に垂直に配置される、請求項５に記載のダンパアセンブリ。
【請求項７】
前記ブラケットへの前記本体の挿入中、前記移動リミッタが変形するように構成される、請求項１に記載のダンパアセンブリ。
【請求項８】
第２の移動リミッタを含み、前記移動リミッタおよび前記第２の移動リミッタが前記本体の対向する面から延びる、請求項１に記載のダンパアセンブリ。
【請求項９】
前記複数の連結部材のうちの少なくとも１つがＴ型の外形構成を含む、請求項１に記載のダンパアセンブリ。
【請求項１０】
組立形態では、前記複数の連結部材が、顕著な変形および／または疲労を与える実質的な量の引張ひずみ下にない、請求項１に記載のダンパアセンブリ。
【請求項１１】
前記本体が前記ブラケットと接触していない、請求項１に記載のダンパアセンブリ。
【請求項１２】
前記ブラケットが、前記ブラケットを搭載部品と少なくとも一時的に連結するように構成される１つまたは複数のクリップを含み、前記ブラケットが、前記ブラケットを前記搭載部品と連結するように構成される１つまたは複数の取付部を含む、請求項１に記載のダンパアセンブリ。
【請求項１３】
前記移動リミッタが前記穴を通り抜けて延びる、請求項１に記載のダンパアセンブリ。
【請求項１４】
前記移動リミッタがＹ方向に延び、前記ブラケットが、前記移動リミッタを越えてＹ方向に延びる取付部を含み、前記取付部がねじ部を含む、請求項１に記載のダンパアセンブリ。
【請求項１５】
前記複数の連結部材が、前記ブラケットにおける共通の一方の側から延びる第１の連結部材および第２の連結部材を含み、前記ブラケットが、Ｙ方向にて前記第１の連結部材と前記第２の連結部材との間に配置される取付部を含む、請求項１に記載のダンパアセンブリ。
【請求項１６】
前記ブラケットが複数の可撓性のある取付クリップを含む、請求項１５に記載のダンパアセンブリ。
【請求項１７】
前記ブラケットが、第１の側壁、第２の側壁、第３の側壁、第４の側壁、および第５の側壁を含み、前記第２の側壁、前記第３の側壁、前記第４の側壁、および前記第５の側壁が、前記第１の側壁から延び、前記穴が、前記第２の側壁、前記第３の側壁、前記第４の側壁、および前記第５の側壁のうちの１つに配置され、前記移動リミッタが、前記本体について、前記第１の側壁に向かう移動、および前記第１の側壁から離れる移動を制限するように構成される、請求項１に記載のダンパアセンブリ。
【請求項１８】
本体と、
前記本体から延びる複数の移動リミッタであって、前記各移動リミッタが複数のリブを含み、この複数のリブは、ブラケットの穴または凹部の内面に接触して、前記ブラケットに対する前記本体の移動を制限するように構成されるものと
を備え、前記複数の移動リミッタにおける第１の移動リミッタおよび第２の移動リミッタが、前記本体の対向する面から延びる、ダンパ。
【請求項１９】
本体と、
前記本体から延びる複数の連結部材であって、各連結部材が前記本体をブラケットと連結するように構成される複数の連結部材と
を備え、前記複数の連結部材のそれぞれが、実質的にＴ型の外形構成を含み、前記複数の連結部材には、少なくとも４つの連結部材が含まれる、ダンパ。
【請求項２０】
前記本体が、ヘッドレストの支柱を少なくとも部分的に受け入れるように構成される第１の凹部および第２の凹部を含む、請求項１９に記載のダンパ。
【発明の詳細な説明】
【関連出願の相互参照】
【０００１】
本出願は、２０１７年８月９日出願の米国仮特許出願第６２／５４２，８５３号の利益を主張するものであり、その開示の全体が、参照により本明細書に組み込まれる。
【技術分野】
【０００２】
本開示は、大まかに、ダンパに関する。これには、ノイズおよび／または振動を低減すべく車両関連で使用されうるダンパが含まれる。
【背景技術】
【０００３】
この背景技術の説明は、背景を示す目的で以下に述べるにすぎない。したがって、この背景技術の説明のどのような態様も、特に先行技術としての資格を得ない限り、明示的にも黙示的にも本開示に対する先行技術として認められるものではない。
【０００４】
一部のダンパの場合、ある特定の部分が力を受ける場合があり、これが望ましくない摩耗または疲労をもたらす場合がある。ダンパによっては、望ましくない量のノイズを発生させるものもある。ダンパによっては、比較的複雑な組立工程を必要とするものもある。
【発明の概要】
【発明が解決しようとする課題】
【０００５】
ダンパの１つまたは複数の問題または欠点を最小限にする、あるいは排除する解決策／選択肢が望まれている。前述の論述は、本分野の例を示すことを意図するにすぎず、範囲の否認とみなされるべきではない。
【課題を解決するための手段】
【０００６】
実施形態では、ダンパが本体および移動リミッタ（動き制限器；movement limiter）を含んでもよい。移動リミッタは本体から延びてもよい。移動リミッタは、ブラケットにおける穴または凹部の内面に接触して、前記ブラケットに対する本体の移動を制限するように構成されうる複数のリブを含んでもよい。複数の連結部材が本体から延びてもよい。複数の連結部材は、本体をブラケットと連結してもよい。複数の連結部材は、実質的にＴ型またはボウタイ（蝶ネクタイ）型の外形構成を含んでもよい。
【０００７】
本開示の実施形態の前述および他の態様、特徴、詳細、有用性、および／または利点が、以下の説明を読むことから、また添付図面を検討することから明らかになるであろう。
【図面の簡単な説明】
【０００８】
【図１】本開示の教示によるダンパアセンブリの実施形態の部分部分を大まかに示す斜視図である。
【図１Ａ】本開示の教示によるダンパアセンブリの実施形態の部分部分を大まかに示す側面図である。
【図１Ｂ】本開示の教示によるダンパおよびブラケットの実施形態の部分部分を大まかに示す断面図である。
【図２Ａ】本開示の教示によるダンパおよびブラケットの実施形態の部分部分を大まかに示す断面図である。
【図２Ｂ】本開示の教示によるダンパおよびブラケットの実施形態の部分部分を大まかに示す断面図である。
【図３】本開示の教示によるダンパおよびブラケットの実施形態の部分部分を大まかに示す斜視図である。
【図４】本開示の教示によるダンパおよびブラケットの実施形態の部分部分を大まかに示す斜視図である。
【図５】本開示の教示によるダンパおよびブラケットの実施形態の部分部分を大まかに示す断面図である。
【図６Ａ】本開示の教示による連結部材の実施形態の部分部分を大まかに示す側面図である。
【図６Ｂ】本開示の教示による連結部材の実施形態の部分部分を大まかに示す側面図である。
【図７Ａ】本開示の教示によるダンパおよびブラケットの実施形態の部分部分を大まかに示す斜視図である。
【図７Ｂ】本開示の教示によるダンパおよびブラケットの実施形態の部分部分を大まかに示す斜視図である。
【図７Ｃ】本開示の教示によるダンパおよびブラケットの実施形態の部分部分を大まかに示す斜視図である。
【図８Ａ】本開示の教示によるダンパおよびブラケットの実施形態の部分部分を大まかに示す斜視図である。
【図８Ｂ】本開示の教示によるダンパおよびブラケットの実施形態の部分部分を大まかに示す分解斜視図である。
【図８Ｃ】本開示の教示によるダンパおよびブラケットの実施形態の部分部分を大まかに示す断面図である。
【図９Ａ】本開示の教示による連結部材の実施形態の部分部分を大まかに示す側面図である。
【図９Ｂ】本開示の教示による連結部材の実施形態の部分部分を大まかに示す側面図である。
【図１０】本開示の教示によるダンパおよびブラケットの実施形態の部分部分を大まかに示す側面図である。
【図１１】本開示の教示によるダンパおよびブラケットの実施形態の部分部分を大まかに示す斜視図である。
【図１２Ａ】本開示の教示によるダンパおよびブラケットの実施形態の部分部分を大まかに示す側面図である。
【図１２Ｂ】本開示の教示によるダンパおよびブラケットの実施形態の部分部分を大まかに示す斜視図である。
【図１３Ａ】本開示の教示によるダンパおよびブラケットの実施形態の部分部分を大まかに示す斜視図である。
【図１３Ｂ】本開示の教示によるダンパおよびブラケットの実施形態の部分部分を大まかに示す斜視図である。
【図１４Ａ】本開示の教示によるダンパおよびブラケットの実施形態の部分部分を大まかに示す斜視図である。
【図１４Ｂ】本開示の教示によるダンパおよびブラケットの実施形態の部分部分を大まかに示す斜視図である。
【図１４Ｃ】本開示の教示によるダンパおよびブラケットの実施形態の部分部分を大まかに示す側面図である。
【図１４Ｄ】本開示の教示によるダンパおよびブラケットの実施形態の部分部分を大まかに示す上面図である。
【図１５Ａ】本開示の教示によるダンパアセンブリの部分部分を大まかに示す斜視図である。
【図１５Ｂ】本開示の教示によるダンパアセンブリの部分部分を大まかに示す斜視図である。
【図１５Ｃ】本開示の教示によるダンパアセンブリの部分部分を大まかに示す斜視図である。
【図１６Ａ】本開示の教示によるダンパアセンブリの部分部分を大まかに示す斜視図である。
【図１６Ｂ】本開示の教示によるダンパアセンブリの部分部分を大まかに示す斜視図である。
【図１６Ｃ】本開示の教示によるダンパアセンブリの部分部分を大まかに示す斜視図である。
【発明を実施するための形態】
【０００９】
次に、本開示の実施形態を詳細に参照し、その実施例を本明細書で説明し、また添付図面に示す。本開示を実施形態および／または実施例に関連して説明するが、それらは本開示をそうした実施形態および／または実施例に限定することを意図するものではないことが理解されよう。それどころか、本開示は、代替案、変更形態、および等価物を包含することを意図するものである。
【００１０】
車両環境で使用するダンパなど、ダンパによっては、平面間の鈍い接触(blunt contact)を移動行程の制限として使用する場合があるものもある。移動行程の制限は、作用ゴムの全体的な耐久性を向上させるために利用してもよい。車両内のパネルに接触するダンパは、ノイズを低減する、フェルト、フロック加工（植毛）テープ、および／または、ゴムパッド（すなわち、これらの事項のいずれか、または、これらの事項の任意の組み合わせ）を含んでもよく、またはこれらに連結してもよい。
【００１１】
図１、図１Ａ、図１Ｂ、図２Ａ、図２Ｂ、図３、図４、および図５に大まかに示すような実施形態では、ダンパアセンブリ２０は、ダンパ２２および／またはブラケット２４を含んでもよい。ダンパ２２は、本体(body)または質量体(mass)３０、１つまたは複数の移動リミッタ３２、および／または１つまたは複数の連結部材３４を含んでもよい。ダンパ２２は、本体３０がブラケット２４に対して少なくともある程度移動してもよいように（たとえば、前後方向を含んでもよいＸ方向に）、１つまたは複数の連結部材３４を介してブラケット２４と連結してもよい。ダンパ２２は、１つまたは複数の様々な形状、サイズ、外形構成、および／または材料を含んでもよい。たとえば、これに限定するものではないが、ダンパ２２は、弾性材料（たとえば、ゴム）を含んでもよく、および／または、本体３０は、金属の塊(mass of metal)や、金属粉を配合した樹脂の塊などの質量体(mass)の周りに形成または配置された弾性材料（弾性外周部）を含んでもよい(例えば、図５及び８Ｃ)。弾性材料は、ゴムまたはエラストマー樹脂などである。また、移動リミッタ３２及び連結部材３４も、同様に弾性材料で形成しうるのであり、質量体(mass)を囲む弾性外周部と一体に形成しうる。例えば、金属からなる質量体(mass)をインサートとして弾性外周部を含むダンパを成形することができ、また、金属粉と樹脂とから質量体(mass)を成形した後、同様にして、弾性外周部を含むダンパを成形することができる。
【００１２】
実施形態において、ブラケット２４は、車両部品または車両構造体などの搭載部品または搭載面３６に、ダンパアセンブリ２０を連結するように構成してもよい。ブラケット２４は、１つまたは複数の様々な形状、サイズ、外形構成、および／または材料を含んでもよい。たとえば、これに限定するものではないが、ブラケット２４は、鋼鉄などの金属を含んでもよく（たとえば、図１、図１Ａ、および図１Ｂ参照）、および／またはプラスチックを含んでもよい（たとえば、図２Ａおよび図２Ｂ参照）。ブラケット２４は、第１の側壁４０、第２の側壁４２、第３の側壁４４、第４の側壁４６、および／または第５の側壁４８など、１つまたは複数の側壁を含んでもよい。第２の側壁４２、第３の側壁４４、第４の側壁４６、および第５の側壁４８は、直方体ないし平行六面体の外形構成を大まかに形成するように、第１の側壁４０から（たとえば、垂直に）延びてもよい。ブラケット２４は、第１の側壁４０に対向して配置されうる開放面５０を含んでもよい。ブラケット２４は、移動リミッタと係合する(噛み合う)ように、および／または、移動リミッタを少なくとも部分的に受け入れるように構成されうる、１つまたは複数の穴５２を含んでもよい。図１、図１Ａ、図１Ｂ、図３、および図４に大まかに示すように、穴５２は、たとえば、これに限定するものではないが、（たとえば、ブラケット２４の対向する面にある）第２の側壁４２内および／または第４の側壁４６内に配置されており、および／または、これらを通り抜けて延びる。実施形態において、ブラケット２４は、たとえば、第２の側壁４２および／または第４の側壁４６の内面など、ブラケット２４の内面に配置または形成されうる１つまたは複数の凹部５４を含んでもよい（たとえば、図２Ａ、図２Ｂ、および図５参照）。
【００１３】
実施形態では、移動リミッタ３２は、ブラケット２４に対する本体３０の移動を制限するように構成してもよい。たとえば、これに限定するものではないが、移動リミッタ３２は、第１の側壁４０に向かうおよび／または第１の側壁４０から離れるような本体３０の移動（たとえば、前方および／または後方移動）を阻害または制限してもよい。実施形態では、移動リミッタ３２は、１つまたは複数の方向（たとえば、Ｚ方向）への移動を阻害または制限してもよく、これは、いくつかの実施例の場合、大きな負荷時などに垂直方向に平行でもよい。移動リミッタ３２は、本体３０から、少なくとも部分的に、ブラケット２４の穴５２中へと、または凹部５４中へ延びてもよい。たとえば、これに限定するものではないが、移動リミッタ３２は、ブラケット２４の穴５２中へと延びて、これを通り抜けてもよい。移動リミッタ３２は、１つまたは複数の様々な形状、サイズ、外形構成、および／または材料を含んでもよい。たとえば、これに限定するものではないが、移動リミッタ３２は、大まかに三角形（特にはＺ方向（左右方向）を軸方向とする大まかに三角柱状ないし三角プリズム状の突起）の外形構成を含んでもよく、および／またはＺ方向などに互いに離間されうる複数のリブ６０を含んでもよい。たとえば、移動リミッタ３２は、Ｚ方向（三角柱の軸方向）にスプライン状または鋸（のこ）歯状をなすように、三角柱の横断面（ＸＹ平面）に沿って延びる谷溝または狭間(スロット)が、所定間隔で設けられた外形構成を含んでもよい。複数のリブ６０は、あくまでも例示であるが、６つのリブを含んでもよい。すなわち、図示の例で、移動リミッタ３２は、Ｚ方向軸の三角柱の両斜面に、Ｚ方向断面が波線状などといった凹凸を有しており、これにより、ＸＹ平面に沿って大まかにＶ字状に延びるリブ６０が、６つ、Ｚ方向に繰り返されている。なお、図７Ｃなどに示す例において、これらのリブ６０は、断面が三角状の突起の両側（前後方向）へと、本体３０の稜線の近傍にまで延びている。また、各リブ６０は、図１６Ｂなどに示す例において、前後の傾斜直線部からなめらかに連続する裾野部を有している。また、図示の例にて、断面が三角状の突起の頂部は、丸められている。これらのリブ６０は、次のように配置されうる。すなわち、（たとえば、Ｘ方向に）本体３０が移動した際、リブ６０がブラケット２４における穴５２または凹部５４の内面または縁部６２に接触し、本体３０のさらなる移動を制限するように配置されうる。好ましい実施形態において、各リブ６０は、半円状、半楕円状、円弧状または楕円弧状に突出する、一定の断面を有している。また、リブ６０同士の間には、半円状などのリブ６０の断面とは別個に、半円状などの断面を有する谷溝が形成されている。この谷溝の寸法は、リブ６０の突出寸法よりも格段に小さく、例えば１／３未満である。一方、移動リミッタ３２の両側面の傾斜角度は、例えば、２０〜４５度とすることができる。
【００１４】
図４に大まかに示すように、実施形態では、本体３０がブラケット２４に接触する前に移動リミッタ３２が穴５２または凹部５４の内面６２に接触するように、移動リミッタ３２とブラケット２４の穴５２または凹部５４の内面６２との間の距離Ｄ１は、ダンパ２２の本体３０とブラケット２４との間の距離Ｄ２より小さい。
【００１５】
実施形態では、リブ６０を有する移動リミッタは、面接触部を有する移動リミッタを含めた、リブがない移動リミッタなどに比べて、ダンパ２２とブラケット２４との間の全体的な面接触を低減するのでありうる。たとえば、これに限定するものではないが、面接触を低減することは、とりわけ、たとえばスラップノイズ（ぴしゃりと平手打ちするような雑音）などの、ダンパ２２とブラケットとの間の接触を通じて生じるノイズを低減させるのでありうる。実施形態において、移動リミッタ３２または複数の移動リミッタ３２は、ブラケット２４に接触しうる、ダンパ２２の唯一の部分でもよい。実施形態では、移動リミッタ３２のサイズは実質的に同じままでもよく、ブラケット２４の穴５２が、ダンパ２２の動作移動距離（たとえば、距離Ｄ１）を設定すべく変更されうる。
【００１６】
実施形態では、ダンパ２２は１対の移動リミッタ３２を含んでもよく、これらは、本体３０の対向する端部に配置してもよく、ブラケット２４の対向する面（たとえば、第２の側壁４２および第４の側壁４６）にある対応する穴５２または凹部５４の中に、少なくとも部分的に延びてもよい、
【００１７】
いくつかの実施形態において、ダンパは、直接に、本体(body)または質量体(mass)、およびブラケットをなすように成形してもよく、ブラケットに結合剤または接着剤を適用または塗布してもよい。この成形には、質量体(mass)およびブラケットを収容する、より大きなキャビティまたは金型を必要としうる。いくつかの実施形態では、ブラケットに質量体(mass)を成形する代わりに、「引抜きにんじん」方式の複数の構成部品（“pull through carrot” style components）を使用してもよい。引抜きにんじん方式の実施形態では、組み立ててから余分な材料を切り取る、組立後の工程を必要とする場合があり、これは組立をさらに複雑にする場合がある。
【００１８】
図１、図４、図５、図６Ａ、図６Ｂ、図７Ａ、図７Ｂ、図７Ｃ、図８Ａ、図８Ｂ、および図８Ｃに大まかに示すような実施形態では、１つまたは複数の連結部材３４が、本体３０とブラケット２４とを連結するように構成してもよい。図６Ａ〜図７Ａに大まかに示すように、連結部材３４は、１つまたは複数のアームまたはウィング７０、および／または脚部７２を含んでもよい。脚部７２は、本体３０からＺ方向に（たとえば、本体３０から垂直に）延びてもよく、および／または１つまたは複数のアーム７０を本体３０と連結してもよい。複数のアーム７０は、互いに反対方向に、および／または脚部７２に垂直に延びてもよい（たとえば、Ｙ方向に延びてもよい）。アーム７０および脚部７２は、たとえば、大まかにＴ型またはボウタイ型の外形構成を形成してもよい。ダンパ２２は、あくまでも例示であるが、本体３０の第１の側（たとえば、上面または上端部）から延びる２つの連結部材３４、および本体３０の第２の側（たとえば、下面または下端部）から延びる２つの連結部材３４を含みうる４つの連結部材３４を含んでもよい。
【００１９】
図７Ａ〜図７Ｃに大まかに示すような実施形態では、ブラケット２４は、１つまたは複数の連結部材３４に対応するのでありうる１つまたは複数のリテーナ８０を含んでもよい。たとえば、これに限定するものではないが、リテーナ８０はフォーク状の外形構成を含んでもよい。連結部材３４をブラケット２４と連結することには、脚部７２がフォーク型リテーナ８０内に少なくとも部分的に配置されるように、アーム７０をフォーク型リテーナ８０の上にカチッとはめること、または被せることが含まれてもよい。アーム７０をフォーク型リテーナ８０の上にパチンとはめること、または被せることは、Ｚ方向でもよい脚部７２の軸方向などへの、脚部７２の少なくとも多少の変形および／または伸張を含んでもよい。脚部７２の変形および／または伸張は、連結工程中にほんの一時的でもよく、連結が完了すると、脚部７２は初期状態に戻ってもよく、および／または静止状態（たとえば、組立形態）では有意な変形や伸張をしていない、および／または応力がかからない場合がある。たとえば、これに限定するものではないが、組み立てられた配置構成では、連結部材３４は、大幅な変形および／または疲労を与える重大な量の引張ひずみ下にはない場合がある（たとえば、脚部７２は約５％以下伸張してもよく、これは実質的または有意な疲労を引き起こさなのでありうる）。連結工程には、１つまたは複数の移動リミッタ３２を対応する穴５２にカチッとはめることが含まれてもよく、これは移動リミッタ３２の少なくとも多少の変形を含んでもよい。連結部材３４が除去すべき余分な部分を一切含まない場合があるので、連結部材３４を介してダンパ２２をブラケット２４と連結することは、組立後の作業を必要としないのでありうる。
【００２０】
実施形態では、リテーナ８０は、第１の部分８２、および、第１の部分８２から離間されうる第２の部分８４を含んでもよい。第１の部分８２および第２の部分８４は、フォーク状の外形構成で配置してもよい。第１の部分８２と第２の部分８４との間の距離Ｄ３は、対応する連結部材３４の脚部７２の幅７２Ｗに対応してもよい（たとえば、図７Ａ参照）。リテーナ８０は、第１の部分８２から、および／または第２の部分８４から延びてもよい、１つまたは複数のリップまたはフランジ部８６を含んでもよい。リップまたはフランジ部８６は、Ｚ方向に、および／または、Ｚ方向に平行でもよい対応する連結部材３４の脚部７２の軸方向に平行な方向などに、本体３０から離れるように延びてもよい。ダンパ２２をブラケット２４と連結することには、連結部材３４のアームをリップまたはフランジ部８６を越えて外側へ持ち上げる／引っ張ること、連結部材３４の脚部７２を第１の部分８２と第２の部分８４との間に滑り込ませること、および／またはアーム７０を解き放って第１の部分８２および第２の部分８４上に載せることが含まれてもよい。
【００２１】
いくつかの実施形態において、ダンパは、Ｃチャンネル（Ｃ型溝形材；C-channel）または横材(クロスメンバー；cross member)の上部および下部に取り付けてもよい。ダンパは、（たとえば、取付距離が寸法規格の低い側または高い側にある場合、）取付距離の差に対応するため、またはこれを補うなどのために、上部および下部のブラケットを介してＣチャンネルまたは横材に連結してもよい。ダンパによっては、上部および下部のブラケットに直接結合してもよいものもある。取付距離が指定の範囲内にない場合、ダンパのゴム脚部は、ダンパを取り付ける（また静止している）間、および／または使用中に、伸張または圧縮してもよい。こうした伸張または圧縮は、ダンパに対する耐久性問題または早すぎる摩耗を引き起こす場合がある。
【００２２】
図７Ｃに大まかに示すような実施形態において、取付部１１０１，１１０２などの取付部は、Ｌ型の外形構成を有しうるタブ１１２を含んでもよい。タブ１１２は、取付部１１０１，１１０２の側面から延びてもよく、および／またはブラケット２４と搭載部品３６との連結を容易にするように構成してもよい。
【００２３】
図８Ａ、図８Ｂ、および図８Ｃに大まかに示すような実施形態において、ダンパアセンブリ２０は、第１の部分１００および第２の部分１０２（たとえば、第１および第２の半分）を含んでもよいブラケット２４を含んでもよい。ダンパアセンブリ２０は、第１の部分１００を第２の部分１０２と連結してもよい１つまたは複数のコネクタ１０６Ａ，１０６Ｂを含んでもよい。コネクタ１０６Ａ，１０６Ｂは、１つまたは複数の様々な形状、サイズ、および／または外形構成を含んでもよい。たとえば、これに限定するものではないが、コネクタ１０６Ａ，１０６Ｂは、種々の外形構成の中でも、管状および／またはシャフト（軸）状の外形構成を含んでもよい。ブラケット２４は、それぞれコネクタ１０６Ａ，１０６Ｂを少なくとも部分的に収容するように構成してもよい凹部１０４Ａ，１０４Ｂを含んでもよい。ブラケット２４の第１の部分１００および第２の部分１０２は、互いに組み合わさって、それぞれ凹部１０４Ａ，１０４Ｂを形成してもよい（たとえば、第１の部分１００および第２の部分１０２はそれぞれ、各凹部１０４Ａ，１０４Ｂの約半分の部分を含んでもよい）。
【００２４】
図９Ａ、図９Ｂ、および図１１に大まかに示すような実施形態では、連結部材３４は、連結部材３４の脚部７２の応力をアーム７０などの異なる領域または位置に伝達するように構成してもよい。たとえば、これに限定するものではないが、アーム７０は、応力緩和または伝達部９０を含んでもよい。応力緩和または伝達部９０は、応力下で撓むように構成してもよい、厚さを減少させたアーム７０の一部に対応してもよい。応力緩和または伝達部９０を介して緩和または伝達される応力は、そうでない場合には、脚部７２に加わりうる（たとえば、アーム７０または応力緩和部９０は、脚部７２が撓むまたは変形する前に、撓むまたは変形するように設計してもよい）。
【００２５】
実施形態において、機能していない特徴部分（たとえば、アーム）に応力を移動または伝達すると、ダンパ２２の耐久性および全体的な寿命が向上する。連結部材３４のアームは、（たとえば、本体３０に向かって傾くように）角度を成してもよく、および／または脚部７２が圧縮状態にある場合に予圧ばねとして働いてもよく、これが脚部７２の耐久性を向上させる。応力を緩和する連結部材３４を有するダンパ２２は、たとえば、取付距離が、公称範囲からその上限または下限を超えて外れている（たとえば、±５ｍｍ）場合などに、向上した耐久性を提供してもよい。
【００２６】
実施形態において、連結部材３４は、実質的に、丸形もしくは円形または円柱形もしくは円筒形である部分９２を含んでもよい。連結部材３４の複数のアームは、このような丸形などの部分９２から延びてもよい。このような丸形などの部分９２は、脚部７２に連結されていてもよい。
【００２７】
図２Ａ、図２Ｂ、図５、図１０、および図１１に大まかに示すような実施形態では、ブラケット２４は、第１の部分１００および第２の部分１０２を含んでもよい。第１の部分１００および第２の部分１０２は、取付距離が公称／設計距離より大きいまたは小さい場合など、互いに対して移動する（たとえば、並進または摺動する）ように構成してもよい。
【００２８】
図１、図１Ａ、図３、図４、図７Ａ、図７Ｂ、および図７Ｃに大まかに示すような実施形態において、ブラケット２４は、１つまたは複数の取付部１１０を含んでもよい。取付部１１０は、ダンパアセンブリ２０および／またはブラケット２４を、車両の一部（たとえば、車両の座席構造物）などの搭載部品３６と連結するように構成してもよい。取付部１１０は、たとえば、これに限定するものではないが、取付部１１０に溶接されたナットなどのねじ部１２０を含んでもよい。取付部１１０は、ブラケットの側壁から延びてもよく、例えば、第２の側壁４２から、および／または第４の側壁４６から延びてもよい。取付部（たとえば、取付部１１０１，１１０２）は、図１、図１Ａ、図３、図４、図７Ａ、図７Ｂ、および図７Ｃに大まかに示すように、側壁の端部から延びてもよい。たとえば、これに限定するものではないが、背面取付形態などのために、取付部１１０１は、第２の側壁４２の端部から延びてもよく、および／または取付部１１０２は、第４の側壁４６の端部から延びてもよい。
【００２９】
図１２Ａおよび図１２Ｂに大まかに示すような実施形態において、オーバヘッド取付の配置構成などのために、取付部（たとえば、取付部１１０３）は、第２の側壁４２の側面から延びてもよく、および／または取付部（たとえば、取付部１１０４）は、第４の側壁４６の面から延びてもよい。取付部１１０３，１１０４は、第３の側壁４４および／または第５の側壁４８と、実質的に平行に配置してもよい。
【００３０】
図１３Ａおよび図１３Ｂに大まかに示すような実施形態では、取付部１１０５は、第３の側壁４４から延びてもよく、および／または、取付部１１０６は、第１の側壁４０から延びてもよい。取付部１１０５は、（たとえば、Ｙ方向にて）、第１のリテーナ８０１／第１の連結部材３４と、第２のリテーナ８０２／第２の連結部材３４との間に配置されうる。第１のリテーナ８０１および第２のリテーナ８０２は、ブラケット２４における、共通の一方の側から延びてもよい。１対の連結部材３４（たとえば、第１および第２の連結部材）は、ダンパ２２における、共通の一方の側から延びてもよい。これに加えて、または、これに代えて、取付部１１０６は、第３のリテーナ８０３と第４のリテーナ８０４との間に配置してもよい。取付部１１０５は、第３の側壁４４に対して角度（たとえば、斜めまたは直角）を成して延びてもよい。取付部１１０６は、第１の側壁４０と実質的に平行に延びてもよい。取付部１１０５は、たとえば、これに限定するものではないが、大まかに長方形の形状構成を含んでもよい。
【００３１】
図１４Ａ、図１４Ｂ、図１４Ｃ、および図１４Ｄに大まかに示すような実施形態において、取付部１１０７は、第３の側壁４４から延びてもよく、および／または取付部１１０８は、第５の側壁４８から延びてもよい。取付部１１０７，１１０８は、たとえば、これに限定するものではないが、ブラケット２４の第１の側壁４０から離れるにつれて先細になってもよい大まかに三角形および／またはＶ型の外形構成を含んでもよい。取付部１１０７は、第３の側壁４４と実質的に平行に延びてもよく、および／または取付部１１０８は、第５の側壁４８と実質的に平行に延びてもよい。取付部１１０７，１１０８は、ブラケット２４を搭載部品３６と連結するための締結具を収容するように構成してもよい穴１２２を含んでもよい。
【００３２】
図１４Ａ、図１４Ｂ、図１４Ｃ、および図１４Ｄに大まかに示すような実施形態では、ブラケット２４は、１つまたは複数のクリップ１３０（たとえば、可撓性のある取付クリップ）を含んでもよい。クリップ１３０は、搭載部品３６と係合して、ブラケット２４を搭載部品３６に対して少なくとも一時的に保持する、および／または取付部１１０と搭載部品３６とのアライメント（位置合わせ）を容易にするように構成してもよい。クリップ１３０は、可撓性／弾力性があってもよく、および／または、湾曲しまたは撓むことで搭載部品３６と噛み合わされ、および／または噛み合わせから外れ出るように構成してもよい。たとえば、これに限定するものではないが、搭載部品３６との連結中、１つまたは複数のクリップ１３０は、最初に撓んでもよく（たとえば、Ｙ方向および／またはＺ方向に）、および／または跳ね返って搭載部品３６と係合してもよい。
【００３３】
図１５Ａ、図１５Ｂ、および図１５Ｃに大まかに示すような実施形態において、ダンパアセンブリ２２０は、ダンパ２２２およびブラケット２２４を含んでもよい。ダンパ２２２は、ダンパ２２２をブラケット２２４と連結してもよい１つまたは複数の連結部材２３４を含んでもよい。連結部材２３４は、ヘッド２７０、および／または、ヘッド２７０をダンパ２２２の本体２３０と連結してもよい脚部２７２を含んでもよい。ヘッド２７０は、１つまたは複数の様々な形状、サイズ、および／または外形構成を含んでもよい。たとえば、これに限定するものではないが、ヘッド２７０は、種々の外形構成の中でも、長方形、正方形、および／または菱形の外形構成を含んでもよい。実施形態において、ヘッド２７０は、脚部２７２に実質的に垂直に配置されてもよい。
【００３４】
実施形態では、ブラケット２２４は、連結部材２３４を少なくとも部分的に受けいれおよび／または保持するように構成してもよい１つまたは複数のリテーナ２８０を含んでもよい。リテーナ２８０は、凹部および／またはチャンバとして構成してもよい。ブラケット２２４は、第１の部分２２４Ａおよび第２の部分２２４Ｂを含んでもよい。第１の部分２２４Ａおよび第２の部分２２４Ｂは、組み合わさって１つまたは複数のリテーナ２８０を形成または画定してもよい（たとえば、各部分２２４Ａ，２２４Ｂはリテーナ２８０の半分を提供してもよい）。連結部材２３４および／またはリテーナ２８０は、連結部材２３４がリテーナ２８０内で少なくともある程度圧縮されるように構成してもよい。たとえば、これに限定するものではないが、リテーナ２８０の１つまたは複数の内法（うちのり）寸法は、連結部材２３４のヘッド２７０の外法（そとのり）寸法より少なくともいくらか小さくてもよい。リテーナ２８０の形状は、ヘッド２７０の形状に対応してもよい。ダンパアセンブリ２２０は、第１の部分２２４Ａを第２の部分２２４Ｂと連結するのでありうる１つまたは複数のコネクタ２９０を含んでもよい。コネクタ２９０は、１つまたは複数の様々な形状、サイズ、および／または外形構成を含んでもよい。たとえば、これに限定するものではないが、コネクタ２９０は、種々の外形構成の中でも、管状の外形構成を含んでもよい。ダンパ２２２は、上述の実施形態における移動リミッタ３２と同一または同様に構成してもよい、１つまたは複数の移動リミッタを含んでもよい。ブラケット２２４は、移動リミッタに対応しうる、および穴５２および／または凹部５４と同一または同様に構成されうる、穴および／または凹部を含んでもよい。第２の部分２２４Ｂを備える第１の部分２２４Ａは、第１の部分２２４Ａを第２の部分２２４Ｂと連結するように構成されうる対応するラッチ部材２２８を含んでもよい。
【００３５】
図１６Ａ、図１６Ｂ、および図１６Ｃに大まかに示すような実施形態において、ダンパアセンブリ３２０は、ダンパ３２２およびブラケット３２４を含んでもよい。ダンパ３２２は、ブラケット３２４に対するダンパ３２２の移動を制限するように構成されうる１つまたは複数の移動リミッタ（たとえば、移動リミッタ３３２１，３３２２）を含んでもよい。移動リミッタ３３２１，３３２２は、移動リミッタ３２と同一または同様に構成してもよい。ダンパ３２２は、ダンパ３２２をブラケット３２４と連結するのでありうる１つまたは複数の連結部材（たとえば、連結部材３３４１，３３４２，３３４３，３３４４）を含んでもよい。ダンパ３２２は、１つまたは複数の凹部（たとえば、凹部３２６Ａ，３２６Ｂ）を含んでもよい。ブラケット３２４は、１つまたは複数の凹部（たとえば、凹部３２８Ａ，３２８Ｂ）を含んでもよい。凹部３２６Ａ，３２６Ｂ，３２８Ａ，３２８Ｂは、たとえば、これに限定するものではないが、車両の座席などのヘッドレスト３６４の支柱３６４Ａ，３６４Ｂを少なくとも部分的に収容するように構成してもよい。凹部３２６Ａ，３２６Ｂ，３２８Ａ，３２８Ｂは、（たとえば、座席の位置に応じて）実質的に垂直でもよい支柱３６４Ａ，３６４Ｂに実質的に平行な方向に延びてもよい。凹部３２６Ａ，３２８Ａは、第１の移動リミッタ３３２１と連結部材３３４１，３３４２との間に（たとえば、Ｙ方向に）配置してもよい。追加的または代替的に、凹部３２６Ｂ，３２８Ｂは、第２の移動リミッタ３３２２と連結部材３３４３，３３４４との間に（たとえば、Ｙ方向に）配置してもよい。実施形態において、１つまたは複数の連結部材（たとえば、連結部材３３４１，３３４３および／または連結部材３３４２，３３４４）は、互いに連結される、および／または、共に形成されるのでありうる。実施形態において、ブラケット３２４は、複数の連結部材（たとえば、連結部材３３４１，３３４３および／または連結部材３３４２，３３４４）との連結のために構成されうる１つまたは複数のリテーナ３８０を含んでもよい。
【００３６】
様々な装置、システム、および／または方法について、様々な実施形態を本明細書で説明する。明細書で説明し、添付図面に示すような実施形態の全体的な構造、機能、製造、および使用についての徹底的な理解を提供するために、多数の特定の詳細を述べる。しかし、こうした特定の詳細なしに実施形態を実施してもよいことを当業者なら理解するであろう。その他の場合、明細書で説明する実施形態を不明瞭にしないように、よく知られている動作、構成部品、および要素については詳細に説明しない。本明細書で説明および図示する実施形態が非限定的な例であることを、当業者なら理解するであろうし、したがって、本明細書に開示する特定の構造的および機能的詳細は代表的なものでもよく、実施形態の範囲を必ずしも限定しないことが理解できる。
【００３７】
本明細書全体にわたる「様々な実施形態」、「実施形態において」、「実施形態では」、または「一実施形態」などの言及は、実施形態に関連して述べる特定の特徴、構造、または特性が、少なくとも１つの実施形態に含まれることを意味する。したがって、本明細書全体にわたる「様々な実施形態」、「実施形態において」、「実施形態では」、または「一実施形態」などという表現の所々の出現は、必ずしも全てが同じ実施形態に対して言及するものではない。さらに、特定の特徴、構造、または特性は、１つまたは複数の実施形態において任意の適当な方法で組み合わせてもよい。したがって、こうした組合せが非論理的または非機能的でないならば、１つの実施形態／実施例に関連して図示または説明する特定の特徴、構造、または特性は、１つまたは複数の他の実施形態／実施例の特徴、構造、機能、および／または特性と、全部または一部を無制限に組み合わせてもよい。その上、特定の状況または材料を本開示の教示にその範囲から逸脱することなく適合させるために、多くの変更を行ってもよい。
【００３８】
単一の要素への言及は、必ずしもそのように限定されるものではなく、こうした要素の１つまたは複数を含んでもよいことを理解されたい。いかなる方向の言及（たとえば、プラスの、マイナスの、上部の、下部の、上向きに、下向きに、左の、右の、左方向に、右方向に、上面、底面、上方へ、下方へ、垂直の、水平の、時計回りに、および反時計回りに）も、本開示についての読者の理解を助けるために識別の目的で用いるにすぎず、特に位置、向き、または実施形態の使用に関して制限をもたらすのではない。
【００３９】
接合の言及（たとえば、取り付けられた、結合された、連結されたなど）は、広く解釈されるべきであり、要素の連結部間の中間部材および要素間の相対移動を含んでもよい。したがって、接合の言及は、必ずしも２つの要素が直接連結／結合され、また互いに対して固定関係にあることを暗示するものではない。明細書中の「たとえば」の使用は、広く解釈されるべきであり、本開示の実施形態の非限定的な例を示すために使用し、本開示はこうした例に限定されるものではない。「および」と「または」の使用は、広く解釈されるべきである（たとえば、「および／または」として扱われるべきである）。たとえば、これに限定するものではないが、「および」の使用は、必ずしも列記する全ての要素または特徴を必要とするものではなく、「または」の使用は、こうした解釈が非論理的でない限り、包括的であることを意図するものである。
【００４０】
プロセス、システム、および方法について、本明細書で１つまたは複数の工程に関連して特定の順序で説明する場合があるが、こうした方法は、異なる順番の工程で、同時に実行するある特定の工程で、追加の工程で、および／またはある特定の説明した工程を省略して実施してもよいことを理解されたい。
【００４１】
上記の明細書に含まれ、または添付図面に示される全ての事項は、制限的なものとしてではなく単に例示的なものとして解釈されるものとすることを意図するものである。本開示から逸脱することなく、詳細または構造の変更を加えてもよい。
【符号の説明】
【００４２】
２０  ダンパアセンブリ
２２  ダンパ
２４  ブラケット
３０  本体、主要部
３２  移動リミッタ
３４  連結部材、応力緩和連結部材
３６  搭載部品・搭載面
４０  第１の側壁
４２  第２の側壁
４４  第３の側壁
４６  第４の側壁
４８  第５の側壁
５０  開放面
５２  穴
５４  凹部
６０  リブ
６２  内面、縁部
７０  アーム、ウィング
７２  脚部
８０  リテーナ
８０１  第１のリテーナ
８０２  第２のリテーナ
８０３  第３のリテーナ
８０４  第４のリテーナ
８２  第１の部分
８４  第２の部分
８６  リップ・フランジ部
９０  応力緩和伝達部
９２  円形、円筒部分
１００  第１の部分
１０２  第２の部分
１０４Ａ〜１０４Ｂ  凹部
１０６Ａ〜１０６Ｂ  コネクタ
１１０  取付部
１１０１〜１１０８  取付部
１１２  タブ
１２０  ねじ部
１２２  穴
１３０  クリップ
２２０  ダンパアセンブリ
２２２  ダンパ
２２４  ブラケット
２２４Ａ  第１の部分
２２４Ｂ  第２の部分
２２８  ラッチ部材
２３０  本体
２３４  連結部材
２７０  ヘッド
２７２  脚部
２８０  リテーナ
２９０  コネクタ
３２０  ダンパアセンブリ
３２２  ダンパ
３２４  ブラケット
３２６Ａ〜３２６Ｂ  凹部
３２８Ａ〜３２８Ｂ  凹部
３３２１  第１の移動リミッタ
３３２２  第２の移動リミッタ
３３４１〜３３４４  連結部材
３６４  ヘッドレスト
３６４Ａ  支柱
３６４Ｂ  支柱
３８０  リテーナ
Ｄ１〜Ｄ３  距離
【図１】
2019032081.tif 000003
【図１Ａ】
2019032081.tif 000004
【図１Ｂ】
2019032081.tif 000005
【図２Ａ】
2019032081.tif 000006
【図２Ｂ】
2019032081.tif 000007
【図３】
2019032081.tif 000008
【図４】
2019032081.tif 000009
【図５】
2019032081.tif 000010
【図６Ａ】
2019032081.tif 000011
【図６Ｂ】
2019032081.tif 000012
【図７Ａ】
2019032081.tif 000013
【図７Ｂ】
2019032081.tif 000014
【図７Ｃ】
2019032081.tif 000015
【図８Ａ】
2019032081.tif 000016
【図８Ｂ】
2019032081.tif 000017
【図８Ｃ】
2019032081.tif 000018
【図９Ａ】
2019032081.tif 000019
【図９Ｂ】
2019032081.tif 000020
【図１０】
2019032081.tif 000021
【図１１】
2019032081.tif 000022
【図１２Ａ】
2019032081.tif 000023
【図１２Ｂ】
2019032081.tif 000024
【図１３Ａ】
2019032081.tif 000025
【図１３Ｂ】
2019032081.tif 000026
【図１４Ａ】
2019032081.tif 000027
【図１４Ｂ】
2019032081.tif 000028
【図１４Ｃ】
2019032081.tif 000029
【図１４Ｄ】
2019032081.tif 000030
【図１５Ａ】
2019032081.tif 000031
【図１５Ｂ】
2019032081.tif 000032
【図１５Ｃ】
2019032081.tif 000033
【図１６Ａ】
2019032081.tif 000034
【図１６Ｂ】
2019032081.tif 000035
【図１６Ｃ】
2019032081.tif 000036